(57)【要約】【課題】小型化サイズの送受信用モジュールを提供することを目的とする。【解決手段】送受信用機器２１の機器用アンテナ２１ａとの間で送受信できる送受信用モジュール２０であって、この送受信用モジュール２０は、発振部２２と、この発振部２２に接続されるインダクタ２３ａとバリキャップダイオード４３、４４との並列接続体からなる同調部２３と、この同調部２３に接続された受信部２６と、発振部２２の発振周波数を制御電圧によりＰＬＬ制御するＰＬＬ部２４とを備え、インダクタ２３ａは送信時において同調部２３のインダクタンス成分として用い、受信時において受信部２６の入力端子６９ａ、６９ｂに接続される受信用アンテナとして用いることができる。  これにより、所期の目的を達成することができる。【選択図】図１
2008300916.tif 000002
【特許請求の範囲】
【請求項１】
送受信用機器の送受信アンテナとの間で送受信できる送受信用モジュールであって、前記送受信用モジュールは、発振部と、この発振部に接続されるインダクタとバリキャップダイオードの並列接続体からなる同調部と、この同調部に接続される受信部と、前記発振部の発振周波数を制御電圧によりＰＬＬ制御するＰＬＬ部とを備え、前記インダクタは送信時において前記同調部のインダクタンス成分として用いられ、受信時において前記受信部のアンテナ入力端子に接続される受信用アンテナとして用いられる送受信用モジュール。
【請求項２】
インダクタは、空芯コイルからなる請求項１に記載の送受信用モジュール。
【請求項３】
インダクタは、プリントパターンからなる請求項１に記載の送受信用モジュール。
【請求項４】
インダクタは、マイクロストリップからなる請求項１に記載の送受信用モジュール。
【請求項５】
インダクタは、空芯コイルとプリントパターンが直列に接続される請求項１に記載の送受信用モジュール。
【請求項６】
バリキャップダイオードの両端に対して一方の端子がそれぞれ接続される第１、第２の切替えスイッチを設け、この第１、第２の切替えスイッチの共通端子間にインダクタを接続し、前記第１、第２の切替えスイッチの他方の端子が受信器の入力に設けられた差動タイプの増幅器に平衡入力される請求項１に記載の送受信用モジュール。
【請求項７】
第１、第２の切替えスイッチのそれぞれ他方の端子と受信部のそれぞれのアンテナ入力端子の間には、プリントパターンがそれぞれ接続される請求項６に記載の送受信用モジュール。
【請求項８】
カメラと、このカメラからのデータをデジタルデータに変換するデータ生成器とを設け、このデータ生成器から出力されるデジタル信号が制御電圧に重畳される請求項１に記載の送受信用モジュール。
【請求項９】
受信部は、アンテナ入力端子からの高周波信号が一方の入力に供給される混合器と、この混合器の他方の入力に供給される発振器と、この発振器の発振周波数を制御するＰＬＬ回路とを備え、前記ＰＬＬ回路とＰＬＬ部とを共用して用いられる請求項１に記載の送受信用モジュール。
【請求項１０】
受信部から出力される復調信号が入力される制御部を設け、送受信用機器の送受信アンテナから受信した信号に基づいて、前記制御部が発振部、同調部、ＰＬＬ部、受信部を制御する請求項１に記載の送受信用モジュール。
【発明の詳細な説明】
【技術分野】
【０００１】
本発明は、高周波信号の送受信を可能とした小型化サイズの送受信用モジュールに関するものである。
【背景技術】
【０００２】
患者の体内を検査するために、小型の送受信用モジュールを飲み込んで、この送受信用モジュールと送受信用機器との間で高周波信号を送受信し、患者の体内の様子を検査する送受信用装置がある。
【０００３】
この送受信用装置に用いる送受信用モジュールは、カメラ等の写真データを送信する送信用アンテナと、送受信用機器からの高周波信号を受信する受信用アンテナがそれぞれ必要とされていた。
【０００４】
なお、この出願の発明に関連する先行技術文献情報としては、例えば、特許文献１が知られている。
【特許文献１】特開平３−４９３０３号公報
【発明の開示】
【発明が解決しようとする課題】
【０００５】
しかしながらこのような従来の送受信用モジュールでは、送信用アンテナと受信用アンテナが別々に設けられていたため、送受信用モジュールの小型化が困難であった。
【０００６】
そこで本発明は、この問題を解決したもので、小型化サイズの送受信用モジュールを提供することを目的としたものである。
【課題を解決するための手段】
【０００７】
この目的を達成するために本発明の送受信用モジュールは、インダクタは送信時において同調部のインダクタンス成分として用いられ、受信時において受信部のアンテナ入力端子に接続される受信用アンテナとして用いられる。
【０００８】
これにより、所期の目的を達成することができる。
【発明の効果】
【０００９】
本発明の送受信用モジュールは、インダクタは送信時において同調部のインダクタンス成分として用いられ、受信時において受信部のアンテナ入力端子に接続される受信用アンテナとして用いられる。
【００１０】
従って、別途受信用アンテナを設ける必要はなく、インダクタンスを共用しているので、小型化サイズの送受信用モジュールを実現することができる。
【発明を実施するための最良の形態】
【００１１】
以下、本発明の実施の形態について図面に基づいて説明する。
【００１２】
（実施の形態１）
図１は、本発明の実施の形態１における送受信用モジュールの回路ブロック図である。この送受信用モジュール２０は、外部に設けられた後述する送受信用機器２１（図３を参照）に設けられた機器用アンテナ２１ａとの間で高周波信号の送受信を行うものである。
【００１３】
図１において、送受信用モジュール２０は、発振部２２と、この発振部２２に接続される同調部２３と、発振部２２の発振周波数をＰＬＬ制御するＰＬＬ部２４と、このＰＬＬ部２４に接続されるデータ生成部２５と、同調部２３を形成するインダクタ２３ａに接続される受信部２６と、これら発振部２２と同調部２３とＰＬＬ部２４と受信部２６とデータ生成部２５を制御する制御部２８とから構成されている。
【００１４】
発振部２２は、例えば差動増幅器で構成される発振器３１と、この発振器３１の出力が接続された出力端子２２ａ、２２ｂと、発振器３１の出力がコンデンサ４０、４１をそれぞれ介して接続される出力端子２２ｃ、２２ｄと、電源電圧が供給される電源端子４２とから構成されている。
【００１５】
同調部２３は、出力端子２２ｃから出力端子２２ｄに向かって順にカソード同士が接続されたバリキャップダイオード４３、４４と、このバリキャップダイオード４３のアノードとグランドの間に接続された抵抗４５と、バリキャップダイオード４４のアノードとグランドの間に接続された抵抗４６と、バリキャップダイオード４３、４４のカソードが抵抗４８を介して接続された同調電圧端子４７と、バリキャップダイオード４３のアノードが一方の端子５３ａに接続されるとともに他方の端子５３ｂが端子５２ａに接続された切替えスイッチ５３と、バリキャップダイオード４４のアノードが一方の端子５４ａに接続された切替えスイッチ５４と、切替えスイッチ５３の共通端子５３ｃと切替えスイッチ５４の共通端子５４ｃの間に接続されたインダクタ２３ａと、切替えスイッチ５４の他方の端子５４ｂに接続された出力端子５２ｂと、切替えスイッチ５３、５４を切替え制御するためのスイッチ制御端子５６とが設けられている。
【００１６】
ＰＬＬ部２４は、出力端子２２ａ、２２ｂに入力端子６１ａ、６１ｂがそれぞれ接続された１／Ｐの分周比を有するプログラマブル分周器６１と、このプログラマブル分周器６１の出力が一方の入力に接続された位相比較器６２と、この位相比較器６２の他方の入力に出力が接続された１／Ｒの分周比を有する分周器６３と、この分周器６３の入力に接続された水晶発振器６４と、位相比較器６２の出力が接続されたチャージポンプ（ＣＰ）６５と、このチャージポンプ６５の出力が接続された同調電圧端子６６と、電源電圧を供給するための電源端子６７とから構成されている。
【００１７】
データ生成部２５は、カメラ８６と、このカメラ８６からのアナログ信号をデジタル信号に変換するデータ生成器８５から構成されている。このデータ生成器８５から出力されるデジタルデータは、同調電圧端子４７に供給されている。
【００１８】
受信部２６には、出力端子５２ａ、５２ｂにそれぞれ接続されるアンテナ入力端子６９ａ、６９ｂと、出力端子７０と、電源電圧が入力される電源端子２６ａと、制御データが入力されるＰＬＬ端子２６ｂとが設けられている。
【００１９】
この受信部２６は、アンテナ入力端子６９ａ、６９ｂが結合コンデンサ７１ａ、７１ｂをそれぞれ介して入力端子７２ａ、７２ｂに差動入力された増幅器７２と、この増幅器７２の出力が一方の入力に接続された混合器７３と、この混合器７３の出力が接続されたフィルタ７４と、このフィルタ７４の出力が接続された復調器８１と、この復調器８１の出力が接続された出力端子７０とから構成されている。
【００２０】
また、混合器７３の他方の入力には発振器７５の出力が接続されている。この発振器７５には、周波数を制御するためのＰＬＬ回路７６が接続されている。このＰＬＬ回路７６の入力には、ＰＬＬ端子２６ｂが接続されている。
【００２１】
制御部２８には、出力端子７０からの復調信号が入力される入力端子２８ａと、受信部２６の電源端子２６ａに電源電圧を供給する電源端子２８ｂと、発振部２２、ＰＬＬ部２４、データ生成部２５のそれぞれの電源端子４２、６７、７７に電源電圧を供給する電源端子２８ｃと、スイッチ制御端子５６に切替え電圧を供給するスイッチ制御端子２８ｄと、ＰＬＬ回路７６にＰＬＬ端子２６ｂを介して制御データを供給するＰＬＬ端子２８ｅと、ＰＬＬ端子７８に接続されるとともにプログラマブル分周器６１の分周比（１／Ｐ）および分周器６３の分周比（１／Ｒ）を設定するＰＬＬ端子２８ｆとが設けられている。
【００２２】
さらに、この制御部２８には、受信部２６から出力される復調信号に基づいて制御データを出力する制御信号出力端子３０とが設けられている。
【００２３】
以上のように構成された送受信用モジュール２０の受信時と送信時の動作について、以下説明する。
【００２４】
最初に、受信時について説明する。送受信用モジュール２０は、初期状態として、受信モードに設定され、制御部２８により、機器用アンテナ２１ａから送信される高周波信号を受信する。
【００２５】
この受信モードとは、電源端子２８ｃからの電源電圧は供給されず、電源端子２８ｂからの電源電圧が受信部２６の電源端子２６ａに供給される。同時に、スイッチ制御端子２８ｄからのスイッチ制御電圧がスイッチ制御端子５６に供給される。これにより、インダクタ２３ａの両端が切替えスイッチ５３、５４により受信部２６のアンテナ入力端子６９ａ、６９ｂにそれぞれ接続される状態のことである。
【００２６】
この受信モードにより、送受信用機器２１からの高周波信号は、インダクタ２３ａにより受信できる。このインダクタ２３ａと増幅器７２の入力インピーダンスとは、コンデンサ７１ａ、７１ｂにより互いの整合を取ることができる。これにより、アンテナの受信感度が向上できる。
【００２７】
このように、受信部２６の入力には差動の増幅器７２を用い、この増幅器７２に対して、平衡タイプのアンテナとしたインダクタ２３ａを接続しているので、損失の大きい体内で用いたとしても、アンテナ感度への影響を小さくできる。
【００２８】
このインダクタ２３ａにより受信された高周波信号は、コンデンサ７１ａ、７１ｂを介して増幅器７２に入力されて増幅される。この増幅器７２から出力される高周波信号は、混合器７３の一方の入力に供給され、他方の入力には予め決められた発振周波数を有する発振器７５の平衡出力７５ａ、７５ｂからの信号が供給されている。
【００２９】
これにより、混合器７３から選局された中間周波信号が出力される。この中間周波信号は、フィルタ７４により妨害信号が抑圧されたのち、復調器８１に入力される。この復調器８１から出力される復調信号は、出力端子７０から出力される。
【００３０】
この復調信号は、制御部２８の入力端子２８ａに入力される。この復調信号の中には、例えば、クロック信号、データ信号が含まれている。このクロック信号と、データ信号を用いて、制御部２８から各制御信号、各電源電圧を出力することができる。
【００３１】
同時に、制御信号出力端子３０からは、送受信用モジュール２０に設けられた機能を動作させる制御信号を出力することができる。この機能とは、例えば、特定の場所においてカメラ８６による映像を多く撮影して情報データを送信したり、あるいはカメラ８６の画素数を上げたり、あるいは内蔵されているＬＥＤの光度を上げて被写体を照らしたりすることができる。
【００３２】
次に、送信モードについて説明する。この送信モードとは、電源端子２８ｃからの電源電圧が発振部２２、ＰＬＬ部２４、データ生成部２５へ供給され、電源端子２８ｂからの電源電圧が受信部２６に供給されていない。同時に、インダクタ２３ａが切替えスイッチ５３、５４によりバリキャップダイオード４３、４４側に接続される状態のことである。
【００３３】
この送信モードにより、同調部２３は、バリキャップダイオード４３、４４に対してインダクタ２３ａが並列に接続される。バリキャップダイオード４３、４４のアノード側は例えば１０ＫΩを用いた抵抗４５、４６により直流的にグランドに接続されている。カソード側は、例えば１０ＫΩを用いた抵抗４８により同調電圧が印加される。
【００３４】
なお、バリキャップダイオード４３、４４のいずれか一方のバリキャップダイオードをコンデンサとしてもよい。
【００３５】
また、同調部２３は結合用のコンデンサ４０、４１で発振器３１に接続されている。この発振器３１からの発振信号は、出力端子２２ａ、２２ｂを介して（１／Ｐ）の分周比を有するプログラマブル分周器６１に入力される。
【００３６】
このプログラマブル分周器６１から出力される分周された信号は、位相比較器６２の一方の入力に供給される。この位相比較器６２の他方の入力には、水晶発振器６４の発振周波数が入力される（１／Ｒ）の分周比を有する分周器６３から出力される発振周波数が入力される。
【００３７】
そして、位相比較器６２から出力される信号がチャージポンプ６５に入力される。このチャージポンプ６５から出力される同調用の電圧は、同調電圧端子４７に出力され、バリキャップダイオード４３、４４のカソードに供給される。このようにして、発振部２２の発振周波数が、予め定められた周波数になるように制御される。
【００３８】
この発振部２２の発振周波数は、制御部２８のＰＬＬ端子２８ｆから出力される制御データにより決定される分周比（１／Ｐ）と分周比（１／Ｒ）により決定される。この分周比（１／Ｐ）と分周比（１／Ｒ）は、送受信用機器２１から送信される高周波信号により設定することができる。
【００３９】
また、ＰＬＬ部２４の同調電圧端子４７には、データ生成部２５からの出力信号が供給されている。このデータ生成部２５では、例えばカメラ８６で撮影したアナログ信号が出力される。このアナログ信号は、データ生成器８５により、「０」、「１」からなるデジタル信号に変換されて出力される。
【００４０】
このデジタル信号が同調電圧端子４７の電圧に重畳されることにより、バリキャップダイオード４３、４４の容量値が変化する。そうすると同調部２３の同調周波数がそれに従って変化する。このようにして、発振部２２の発振周波数が変調される。
【００４１】
このようにして変調信号が重畳された発振信号が、インダクタ２３ａから送信されることになる。このときの中心周波数は、微弱電波として国内では３２２ＭＨｚ以下（電界強度５００μＶ／ｍ以下）の周波数がよく用いられる。例えば、３００ＭＨｚを中心周波数とし、この中心周波数に対してデジタルデータ「０」、「１」のデータレートに応じた変調度でＦＭ変調を行うことができる。
【００４２】
図２（ａ）は、受信モードとするための受信部２６への電源電圧の印加のタイミングチャートを表す。
【００４３】
なお、受信部２６に電源電圧が印加された場合に、同じタイミングでスイッチ制御端子５６に同様の制御電圧が印加されるものとしている。すなわち、受信部２６への電源電圧がオンの場合には、インダクタ２３ａは、切替えスイッチ５３、５４により、他方の端子５３ｂ、５４ｂ側に切替えられて受信用アンテナとして作用する。
【００４４】
図２（ａ）において、初期状態は、送受信用機器２１から送信される高周波信号１１０ａを受信するため、タイム１０１において受信モードとし、タイム１０２において、受信部２６の電源電圧を０Ｖとする。
【００４５】
さらに、タイム１０３において受信モードとし、タイム１０４において、受信部２６の電源電圧を０Ｖとする。さらにまた、タイム１０５において受信モードとし、タイム１０６において、受信部２６の電源電圧を０Ｖとする。
【００４６】
図２（ｂ）は、送受信用機器２１から順次送信される高周波信号１１０ａ、１１０ｂ、１１０ｃのタイミングチャートを表す。
【００４７】
図２（ｂ）において、タイム１０８〜１０９の間に送受信用機器２１から高周波信号１１０ａが送信される。この高周波信号１１０ａの受信部２６による受信が完了されたのちのタイム１０２において、受信部２６の電源電圧を０Ｖとしている。
【００４８】
次に高周波信号１１０ａの後には高周波信号１１０ｂ、１１０ｃが送信されてくる。これら高周波信号１１０ａ、１１０ｂ、１１０ｃ等を受信できるように、タイム１０２〜１０３までの時間１０２ａは、予め定められた時間に設定している。このようにして、高周波信号１１０ａ、１１０ｂ、１１０ｃを受信することができる。
【００４９】
なお、高周波信号１１０ｂのタイム１１２〜１１３は、タイム１０３〜１０４の期間内としている。高周波信号１１０ｃも同様である。
【００５０】
図２（ｃ）は、送信モードとするための発振部２２、ＰＬＬ部２４およびデータ生成部２５への電源電圧の印加のタイミングチャートを表す。
【００５１】
図２（ｄ）は、インダクタ２３ａから送信されるＦＭ変調信号のタイミングチャートを表す。
【００５２】
なお、電源端子２８ｃからの電源電圧が印加された場合に、同じタイミングでスイッチ制御端子５６に同様の制御電圧が印加されるものとしている。すなわち、発振部２２、ＰＬＬ部２４、データ生成部２５への電源電圧がオンの場合には、インダクタ２３ａは、切替えスイッチ５３、５４によりバリキャップダイオード４３、４４とともに同調回路として作用する。
【００５３】
図２（ｃ）において、タイム１０２のあとのタイム１２１に、電源電圧を印加する。この電源電圧は、発振部２２、ＰＬＬ部２４、データ生成部２５に印加される。これにより、送信モードとできる。そして、タイム１２２において、送信モードが終了する。
【００５４】
図２（ｄ）において、タイム１２６〜１２７において、インダクタ２３ａからＦＭ変調信号１２８ａが送信される。なお、ＦＭ変調信号１２８ａのタイム１２６〜１２７は、タイム１２１〜１２２の期間内としている。また、ＦＭ変調信号１２８ｂ、１２８ｃもＦＭ変調信号１２８ａと同様に、インダクタ２３ａから送信することができる。
【００５５】
なお、クロック信号は、送受信用機器２１から送信される高周波信号のクロック信号を用いたが、送受信用モジュール２０から送信する高周波信号のクロック信号を用いることができる。
【００５６】
以上のように、同調部２３は、インダクタ２３ａと、このインダクタ２３ａの両端に設けられた切替えスイッチ５３、５４と、この切替えスイッチ５３、５４のそれぞれ一方の端子５３ａ、５４ａの間に接続されたバリキャップダイオード４３、４４からなる直列接続体と、切替えスイッチ５３、５４の他方の端子５３ｂ、５４ｂにそれぞれ接続された出力端子５２ａ、５２ｂと、バリキャップダイオード４３、４４のアノード側に接続された出力端子２２ｃ、２２ｄから構成されている。
【００５７】
このように、切替えスイッチ５３、５４で切替えることにより、インダクタ２３ａを、送信モードにおいて発振部２２の同調回路のインダクタンス成分として用い、受信モードにおいて受信部２６の入力端子６９ａ、６９ｂに接続される受信用アンテナとして用いることができる。
【００５８】
このため、別途受信用アンテナを設ける必要はないので、小型化サイズとした送受信用モジュール２０を実現できる。
【００５９】
なお、インダクタ２３ａが接続されるスイッチ５３の他方の端子と増幅器７２の入力との間にプリントパターンあるいはマイクロストリップラインを挿入してもよい。このプリントパターンあるいはマイクロストリップラインは、空芯コイルと比較して受信アンテナとしての効果が大きいので、受信部２６の受信感度を向上できる。
【００６０】
さらに、インダクタ２３ａは、空芯コイル、プリントパターン、マイクロストリップライン、あるいはこれらの組み合わせとして用いてもよい。
【００６１】
例えば、空芯コイルとした場合には、Ｑ値を高くすることができるので、損失を小さくできる。このため、送信効率が改善される。
【００６２】
例えば、プリントパターンとした場合には、平面状にできるので、薄型化が可能となる。
【００６３】
例えば、マイクロストリップラインとした場合には、特性インピーダンスを小さくできるので、受信部２６との整合性をよくでき、受信感度を向上させることができる。
【００６４】
例えば、空芯コイルとプリントパターン、あるいは空芯コイルとマイクロストリップラインとの組み合わせとした場合には、受信感度と送信効率の両立を図ることが可能となる。
【００６５】
なお、同調部２３のインダクタ２３ａの他方が接続された切替えスイッチ５４の他方の端子５４ｂ、増幅器７２の他方の端子７２ｂを共に接地して用いてもよい。この場合には、同調部２３と受信部２６との配線が容易となる。
【００６６】
（実施の形態２）
図３は、送受信用モジュール２０を用いた送受信用装置２５０のブロック図である。この送受信用装置２５０は、実施の形態１で使用した送受信用モジュール２０と送受信用機器２１とから構成される。
【００６７】
図３において送受信用機器２１は、複数本の機器用アンテナ２１ａと、これらの機器用アンテナ２１ａがそれぞれ接続された切替え回路２５４と、この切替え回路２５４の共通端子に接続された送受信部２５５と、この送受信部２５５の出力に接続された復調器２５６と、この復調器２５６の出力に接続された表示部（モニタ）２５７と、送受信部２５５の出力と切替え回路２５４の制御入力との間に接続された制御部２５８とで構成されている。
【００６８】
以上のように構成された送受信用装置２５０について、以下にその動作を説明する。送受信用モジュール２０を図４に示すように患者２６１が飲み込む。送受信用モジュール２０は患者２６１の口から内臓へ流入する。そして、内臓の様子をカメラ８６で撮影して、そのデータを送信アンテナであるインダクタ２３ａから高周波信号として、体外へ放射する。
【００６９】
このインダクタ２３ａから送信された高周波信号は、患者２６１の外部に設けられた複数の機器用アンテナ２１ａで受信される。この受信された高周波信号は、送受信部２５５でベースバンド周波数に変換され、次の復調器２５６で復調される。この復調された信号は表示部２５７に表示される。
【００７０】
また、送受信部２５５からの出力信号は、制御部２５８内に設けられたレベル検出器により受信レベルが検出される。この検出結果に基づいて切替え回路２５４を制御することにより、高周波信号が強く受信できる機器用アンテナ２１ａのひとつが選択される。
【００７１】
このようにして、送受信用モジュール２０が患者２６１のどの部位に進行しても最良の感度で受信できるようになっている。即ち、カメラ８６で撮影した患者２６１の内臓のデータを鮮明に表示部２５７に表示することができるようになっている。
【００７２】
（実施の形態３）
図５は、実施の形態３における送受信用モジュール２０の要部断面図である。図５において、送受信用モジュール２０はインダクタ２３ａの周囲に誘電体２６２を充填したものである。例えば、インダクタ２３ａがカプセル２６４内の空気で覆われている場合には、インダクタ２３ａは誘電率１の誘電体２６２で充填されていることになる。
【００７３】
また、カプセル２６４外である患者２６１の体内は略誘電率４０の誘電体である。つまり、カプセル２６４内外で誘電率の違いによる高周波信号の反射が発生することになる。
【００７４】
従って、この誘電体２６２は患者２６１の体内の誘電率（約４０）に近づける程、反射による損失が少なくて望ましい。しかし、一般には誘電率の高い材料はＱ（きゅう）が低くなるので、Ｑが低くならない程度で誘電率の高い誘電体２６２を充填している。
【００７５】
このため、この誘電体２６２は１以上２０以下の誘電体２６２を用いることが好ましい。
【００７６】
（実施の形態４）
図６は、実施の形態４における送受信用モジュールの回路ブロック図である。実施の形態１では、送信用のＰＬＬ部２４と受信部２６のＰＬＬ回路７６とをそれぞれ別々に設けている。これに対して、実施の形態４では、二つのＰＬＬ部をＰＬＬ部３２４として共用化している。
【００７７】
なお、図６で使用した部品について、図１と同じものについては同一の番号を付して説明を簡略化している。
【００７８】
図６において、送受信用モジュール３２０は、発振部２２と、この発振部２２に接続される同調部２３と、この同調部２３を形成するインダクタ２３ａに接続される受信部３２６と、発振部２２の発振周波数および受信部３２６の発振器７５の発振周波数をＰＬＬ制御するＰＬＬ部３２４と、このＰＬＬ部３２４に接続されるデータ生成部２５と、これら発振部２２と同調部２３とＰＬＬ部３２４を制御できる制御部３２８とから構成されている。
【００７９】
受信部３２６には、発振器７５の平衡出力７５ａ、７５ｂが接続される出力端子３２６ａ、３２６ｂと、発振器７５の発振周波数が制御される制御端子３２６ｃとが設けられている。
【００８０】
ＰＬＬ部３２４は、入力３６１ａ、３６１ｂ、３６１ｃ、３６１ｄを有するとともに１／Ｐの分周比を有するプログラマブル分周器３６１と、このプログラマブル分周器３６１の出力が一方の入力に接続された位相比較器６２と、この位相比較器６２の他方の入力に出力が接続された１／Ｒの分周比を有する分周器６３と、この分周器６３の入力に接続された水晶発振器６４と、位相比較器６２の出力が接続されたチャージポンプ（ＣＰ）６５と、このチャージポンプ６５の出力が接続された同調電圧端子６６と、電源電圧を供給するための電源端子３６７が設けられている。
【００８１】
なお、プログラマブル分周器３６１の入力３６１ａ、３６１ｂは、出力端子２２ａ、２２ｂにそれぞれ接続され、入力３６１ｃ、３６１ｄは、発振器７５の平衡出力７５ａ、７５ｂにそれぞれ接続されている。これら入力３６１ａ、３６１ｂまたは入力３６１ｃ、３６１ｄは、プログラマブル分周器３６１によりどちらか一方が選択される。
【００８２】
また、ＰＬＬ部３２４の同調電圧端子６６から出力される同調電圧は、同調部２３の同調電圧端子４７と、受信部３２６の同調電圧端子３２６ｃにそれぞれ接続されている。
【００８３】
制御部３２８のＰＬＬ端子３２８ｆは、ＰＬＬ部３２４のＰＬＬ端子７８に接続されている。このＰＬＬ端子３２８ｆからの制御データにより、プログラマブル分周器３６１の分周比（１／Ｐ）および分周器６３の分周比（１／Ｒ）を設定できる。
【００８４】
以上のように構成された送受信用モジュール３２０の受信時と送信時の動作について、以下説明する。
【００８５】
最初に受信時について説明する。送受信用モジュール３２０は、初期状態として、受信モードに設定され、制御部３２８により、機器用アンテナ２１ａ（図３を参照）から送信される高周波信号を受信する。
【００８６】
この受信モードとは、電源端子２８ｂからの電源電圧が受信部３２６に供給され、電源端子３２８ｇからの電源電圧がＰＬＬ部３２４の電源端子３６７に供給され、同時に、スイッチ制御端子２８ｄからのスイッチ制御電圧がスイッチ制御端子５６に供給される。これにより、インダクタ２３ａが切替えスイッチ５３、５４により受信部３２６のアンテナ入力端子６９ａ、６９ｂに接続される状態のことである。
【００８７】
この受信モードにおいては、ＰＬＬ部３２４の同調電圧端子６６から出力される同調電圧により、発振器７５の発振周波数は予め定められた周波数に制御される。さらに、同調部２３のインダクタ２３ａにより受信された高周波信号は、受信部３２６に入力される。この受信部３２６から出力される復調信号は、制御部３２８の入力端子２８ａに入力される。この制御部３２８により、送受信用モジュール３２０が制御される。
【００８８】
なお、発振器７５の発振周波数は、ＰＬＬ部３２４により周波数制御することができる。
【００８９】
次に、送信モードについて説明する。この送信モードとは、電源端子２８ｃからの電源電圧が発振部２２、データ生成部２５に供給され、電源端子３２８ｇからの電源電圧がＰＬＬ部３２４の電源端子３６７に供給され、同時に、インダクタ２３ａが切替えスイッチ５３、５４によりバリキャップダイオード４３、４４側に接続される状態のことである。
【００９０】
この送信モードにおいては、ＰＬＬ部３２４の同調電圧端子６６から出力される同調電圧により、発振部２２と同調部２３により決定される発振周波数が予め定められた周波数に制御できる。
【００９１】
この発振周波数は、制御部３２８のＰＬＬ端子３２８ｆから出力される制御データにより分周比（１／Ｐ）と分周比（１／Ｒ）の設定を変えることができる。この制御データは、送受信用機器２１の高周波信号により送信することができる。
【００９２】
以上のようにして、一つのＰＬＬ部３２４を用いて送受信用モジュール３２０を実現することができる。このため、小型化サイズとした送受信用モジュール３２０を実現できる。
【００９３】
また、この送受信用モジュール３２０もやはり、実施の形態１で述べた送受信用モジュール２０と同様の効果を奏するものである。
【産業上の利用可能性】
【００９４】
本発明の送受信用モジュールは、医療用カプセルとして利用した場合に、小型サイズとしているので患者に対する負担が少なく、医療用機器として有用である。
【図面の簡単な説明】
【００９５】
【図１】本発明の実施の形態１における送受信用モジュールの回路ブロック図
【図２】（ａ）は、受信部２６への電源電圧の印加のタイミングチャート、（ｂ）は、送受信用機器２１から送信される高周波信号のタイミングチャート、（ｃ）は、発振部２２、ＰＬＬ部２４、データ生成部２５への電源電圧の印加のタイミングチャート、（ｄ）は、インダクタ２３ａから送信されるＦＭ変調信号のタイミングチャート
【図３】同、実施の形態２による送受信用装置のブロック図
【図４】同、送受信用機器と送受信用モジュールの患者への装着図
【図５】同、実施の形態３による送受信用モジュールの要部断面図
【図６】同、実施の形態４による送受信用モジュールの回路ブロック図
【符号の説明】
【００９６】
２０  送受信用モジュール
２２  発振部
２３  同調部
２３ａ  インダクタ
２４  ＰＬＬ部
２６  受信部
４３  バリキャップダイオード
４４  バリキャップダイオード
６９ａ、６９ｂ  入力端子
【図１】
2008300916.tif 000003
【図２】
2008300916.tif 000004
【図３】
2008300916.tif 000005
【図４】
2008300916.tif 000006
【図５】
2008300916.tif 000007
【図６】
2008300916.tif 000008